(57)【要約】  しまい込んだおよび展開したコンフィギュレーション間で移動可能なテーブル組立体。ベース部分は、表面に取り付け可能であり、テーブル部分は、格納したおよび伸張したポジション間で移動可能である。テーブル部分は、上面と下面を含んでいる。アーム部分は、第１および第２の端部を有し、第１の端部は、ベース部分に係合し、第２の端部は、テーブル部分内に配置される。テーブル部分は、格納したおよび伸張したポジション間をアーム部分の長手方向軸に沿ってスライドして移動可能であり、テーブル部分が伸長したポジションにあるとき、ほぼ垂直およびほぼ水平ポジション間でアーム部分の長手方向軸の周りを回転可能である。【選択図】図１
2020529363.tif 000002
【特許請求の範囲】
【請求項１】
しまい込んだおよび展開したコンフィギュレーション間で移動可能なテーブル組立体であって、
表面に取り付け可能なベース部分と、
格納したおよび伸張したポジション間で移動可能なテーブル部分と、前記テーブル部分は、上面と下面を含み、
第１および第２の端部を有するアーム部分とを含み、前記第１の端部は、前記ベース部分に係合し、前記第２の端部は、前記テーブル部分内に配置され、
前記テーブル部分は、前記格納したおよび伸張したポジション間を前記アーム部分の長手方向軸に沿ってスライドして移動可能であり、前記テーブル部分が伸長したポジションにあるとき、ほぼ垂直およびほぼ水平ポジション間で前記アーム部分の長手方向軸の周りを回転可能である、テーブル組立体。
【請求項２】
前記水平ポジションは、第１および第２の水平ポジションを備え、
前記テーブル部分は、前記第１および第２の水平ポジション間で横方向に移動可能である、請求項１に記載のテーブル組立体。
【請求項３】
前記ベース部分は、止め具を含み、
前記テーブル部分は、前記止め具を取り外し可能に係合するラッチを含み、
前記ラッチが前記止め具に係合するとき、前記ラッチは、前記伸張したポジションに向けた第１の方向への前記アーム部分の移動を回避する、請求項１に記載のテーブル組立体。
【請求項４】
前記テーブル部分は止め具を含み、
前記止め具は、ほぼ水平ポジションを超える、前記アーム部分の前記長手方向軸の周りの前記テーブル部分の回転運動を回避する、請求項１に記載のテーブル組立体。
【請求項５】
前記テーブル部分は止め具を含み、
前記止め具は、前記テーブル部分が伸長したポジションにあるとき、前記アーム部分に対する前記テーブル部分の下方への垂直運動を回避する、請求項１に記載のテーブル組立体。
【請求項６】
ほぼ垂直およびほぼ水平ポジション間の前記アーム部分の長手方向軸の周りの前記テーブル部分の回転運動を制限するダンパーをさらに備える、請求項１に記載のテーブル組立体。
【請求項７】
前記アーム部分と前記テーブル部分を動作可能に相互接続するキャリッジをさらに備える、請求項１に記載のテーブル組立体。
【請求項８】
前記テーブル部分はラックを含み、
前記キャリッジは、ピニオンを含み、
テーブル部分が第１および第２の水平ポジション間で横方向に移動すると、前記ラックは前記ピニオンに係合する、請求項７に記載のテーブル組立体。
【請求項９】
前記テーブル部分は、溝を含み、
前記アーム部分は、前記溝を動作可能に係合する、請求項１に記載のテーブル組立体。
【請求項１０】
前記アーム部分は、前記溝に係合するように構成されているローラーを含み、
前記溝は、前記ローラーと前記溝の係合の間、前記テーブル部分の回転を制限する、請求項９に記載のテーブル組立体。
【請求項１１】
前記アーム部分は、前記テーブル部分の回転を制限する、請求項１に記載のテーブル組立体。
【請求項１２】
前記テーブル部分は、前記しまい込んだコンフィギュレーションでは、ほぼ垂直方向であり、前記展開したコンフィギュレーションではほぼ水平方向である、請求項１に記載のテーブル組立体。
【請求項１３】
シートコンソールと組み合わせて、前記シートコンソールは外面とそこに形成された凹部を含み、
前記テーブル組立体が前記しまい込んだコンフィギュレーションであるとき、前記テーブル組立体は前記凹部内にほぼしまい込まれ、
前記凹部は前記テーブル組立体を収容するような大きさであり、形状であり、
前記テーブル部分の側部は、前記凹部から外側に面し、前記シートコンソールの外面の残りの部分とほぼ一致する前記シートコンソールの外面の少なくとも一部分を形成する、請求項１に記載のテーブル組立体。
【請求項１４】
前記ベース部分は、しまい込んだおよび展開したポジション間で前記凹部内を移動可能である、請求項１３に記載のテーブル組立体。
【発明の詳細な説明】
【背景】
【０００１】
[0001]  本発明は、一般的にテーブルに関する。より具体的には、本発明は、航空機乗客シートに関係付けられている展開可能テーブルに関する。
【０００２】
[0002]  民間航空会社は、その顧客に向上したサービスを提供するとともに乗客の快適性と利便性を向上させるように努力している。乗客の前の乗客シートのシートバックに直接構築されたテーブル、または、シートコンソール内から乗客の片側に展開可能なテーブルを使用することは、プライベートおよび民間航空機の両方の乗客に一般的であり、テーブル表面は、食べ物、飲み物、または、その上の他の物体の配置のために十分な表面エリアを提供するように広げられなければならない。
【０００３】
[0003]  しまい込んだおよび展開したポジション間で移動できる、航空機乗客シートに関係付けられている異なるタイプのテーブルが提案されている。しかしながら、このようなテーブルにはそれらの制限があり、常に向上できる。
【０００４】
[0004]  したがって、しまい込んだおよび展開したポジション間で移動可能な向上したテーブルに対する必要性がある。シートコンソール内にしまい込むことができるテーブルに対する必要性もある。製造、組立、調節、および、維持しやすいテーブルに対するさらなる必要性もある。本発明はこれらの必要性を満たし、他の関連する利点を提供する。
【概要】
【０００５】
[0005]  ここに図示するテーブル組立体は、しまい込んだおよび展開したポジション間で移動可能なテーブルを提供する。ここに図示するテーブル組立体は、しまい込むおよび展開することが容易である。ここに図示するテーブル組立体は、シートコンソール内にしまい込むことができる。ここに図示するテーブル組立体は、製造、組立、調節、および、維持することが容易である。
【０００６】
[0006]  例示的な実施形態において、テーブル組立体は、しまい込んだおよび展開したコンフィギュレーション間で移動可能である。テーブル組立体は、表面に取り付け可能なベース部分と、格納したおよび伸張したポジション間で移動可能なテーブル部分と、テーブル部分は、上面と下面を含み、第１および第２の端部を有するアーム部分とを含み、第１の端部は、ベース部分に係合し、第２の端部は、テーブル部分内に配置されている。テーブル部分は、格納したおよび伸張したポジション間をアーム部分の長手方向軸に沿ってスライドして移動可能であり、テーブル部分が伸長したポジションにあるとき、ほぼ垂直およびほぼ水平ポジション間でアーム部分の長手方向軸の周りを回転可能である。
【０００７】
[0007]  水平ポジションは、第１および第２の水平ポジションを含むことができ、テーブル部分は、第１および第２の水平ポジション間で横方向に移動可能である。
【０００８】
[0008]  ベース部分は、止め具を含み、テーブル部分は、止め具を取り外し可能に係合するラッチを含んでいる。ラッチが止め具に係合するとき、ラッチは、伸張したポジションに向けた第１の方向へのアーム部分の移動を回避する。
【０００９】
[0009]  テーブル部分は止め具を含み、止め具は、ほぼ水平ポジションを超える、アーム部分の長手方向軸の周りのテーブル部分の回転運動を回避する。
【００１０】
[0010]  テーブル部分は止め具を含み、止め具は、テーブル部分が伸長したポジションにあるとき、アーム部分に対するテーブル部分の下方垂直運動を回避する。
【００１１】
[0011]  テーブル組立体は、ほぼ垂直およびほぼ水平ポジション間のアーム部分の長手方向軸の周りのテーブル部分の回転運動を制限するダンパーをさらに含んでいる。
【００１２】
[0012]  テーブル組立体は、アーム部分とテーブル部分を動作可能に相互接続するキャリッジも含んでいる。テーブル部分はラックを含み、キャリッジは、ピニオンを含み、テーブル部分が第１および第２の水平ポジション間で横方向に移動すると、ラックはピニオンに係合する。
【００１３】
[0013]  テーブル部分は、溝を含み、アーム部分は、溝を動作可能に係合する。アーム部分は、溝に係合するように構成されているローラーを含み、溝は、ローラーと溝の係合の間、テーブル部分の回転を制限する。
【００１４】
[0014]  アーム部分は、テーブル部分の回転を制限する。
【００１５】
[0015]  テーブル部分は、しまい込んだコンフィギュレーションでは、ほぼ垂直方向であり、展開したコンフィギュレーションではほぼ水平方向である。
【００１６】
[0016]  テーブル組立体は、外面とそこに形成された凹部を含むシートコンソールと組み合わせて、テーブル組立体がしまい込んだコンフィギュレーションであるとき、凹部内にほぼしまい込まれる。凹部はテーブル組立体を収容するような大きさであり、形状であり、テーブル部分の側部は、凹部から外側に面し、シートコンソールの外面の残りの部分とほぼ一致するシートコンソールの外面の少なくとも一部分を形成する。ベース部分は、しまい込んだおよび展開したポジション間で凹部内を移動可能である。
【００１７】
[0017]  例として本発明の原理を図示する添付の図面をとともに、本発明の他の特徴および利点が、以下のより詳細な説明から明らかになるだろう。
[0018]  さまざまな実施形態の図面を参照して、有利な特徴を強調表示することに重点をおいて、さまざまな本実施形態を詳細に説明する。図示する実施形態は、図解するように意図されているが、本発明を限定しない。これらの図面は、以下の図を含み、同様の数字は同様の部分を示す。
【図面の簡単な説明】
【００１８】
【図１】[0019]  図１は、テーブル組立体のテーブル部分が展開に向けてユーザによって並進して動かされることになる一般的な方向を示す矢印とともに、完全にしまい込んだコンフィギュレーションで本発明の実施形態を図示する、テーブル組立体の斜視図を図示している。
【図２】[0020]  図２は、テーブル組立体のテーブル部分が展開に向けてユーザによって回転可能に動かされることになる一般的な方向を示す矢印とともに、テーブル部分が部分的に、ほぼ垂直ポジションに展開した、図１のテーブル組立体の斜視図を図示している。
【図３】[0021]  図３は、テーブル組立体のテーブル部分が展開に向けてユーザによって並進して動かされることになる一般的な方向を示す矢印とともに、テーブル部分が部分的に、角度を付けたポジションに展開した、図１のテーブル組立体の斜視図を図示している。
【図４】[0022]  図４は、テーブル組立体のテーブル部分が展開に向けてユーザによって並進して動かされることになる一般的な方向を示す矢印とともに、ほぼ水平な平面について傾斜しているテーブル部分を図示している、図３のテーブル組立体の側面図を図示している。
【図５】[0023]  図５は、テーブル部分が完全に、ほぼ水平ポジションに展開した、図１のテーブル組立体の斜視図を図示している。
【図６】[0024]  図６は、図５のテーブル組立体の側面図を図示している。
【図７】[0025]  図７は、完全にしまい込んだポジションで９０度回転させた図１のテーブル組立体の分解斜視図を図示している。
【図８】[0026]  図８は、テーブル部分の内部の図を提供するために、テーブル部分の底板が取り除かれ、ベース部分の図を提供するためにベース部分に面するテーブル部分のフレームの一部分が取り除かれて見える、図１のテーブル組立体を図示している。
【図９】[0027]  図９は、テーブル部分の内部の図を提供するために、テーブル部分の底板が取り除かれ、ベース部分の図を提供するために、ベース部分に面するテーブル部分のフレームの一部分が取り除かれて見える、図２のテーブル組立体を図示している。
【図１０】[0028]  図１０は、テーブル部分の内部の図を提供するために、テーブル部分の天板が取り除かれて見える、図３のテーブル組立体を図示している。
【図１１】[0029]  図１１は、テーブル部分の内部の図を提供するために、テーブル部分の天板が取り除かれて見える、図５のテーブル組立体を図示している。
【図１２】[0030]  図１２は、テーブル部分の内部の別の図を提供するために、天板が取り除かれている、テーブル部分の斜視図を図示している。
【図１３】[0031]  図１３は、テーブル部分の内部の別の図を提供するために、底板が取り除かれている、テーブル部分の斜視図を図示している。
【図１４】[0032]  図１４は、テーブル組立体のテーブル部分が展開に向けてユーザによって並進して動かされることになる一般的な方向を示す矢印とともに、図４のテーブル組立体の側断面図を図示している。
【図１５】[0033]  図１５は、図５のテーブル組立体の側断面図を図示している。
【図１６】[0034]  図１６は、本発明の実施形態を図示したテーブル組立体が完全にしまい込んだコンフィギュレーションである、旅客機シートコンソールの斜視図を図示している。
【図１７】[0035]  図１７は、テーブル部分が部分的に、ほぼ垂直ポジションに展開した、図１６のテーブル組立体を図示している。
【図１８】[0036]  図１８は、テーブル部分が部分的に、角度をつけたポジションに展開した、図１６のテーブル組立体を図示している。
【図１９】[0037]  図１９は、テーブル部分が完全に、ほぼ水平ポジションに展開した、図１６のテーブル組立体を図示している。
【図２０】[0038]  図２０は、テーブル部分の内部の図を提供するために、テーブル部分の底板が取り除かれ、テーブル部分が部分的に、ほぼ垂直ポジションに展開して見える、部分的に展開したコンフィギュレーションで本発明の別の実施形態を図示したテーブル組立体の図を図示している。
【図２１】[0039]  図２１は、図２０のテーブル組立体の一部分の拡大図を図示している。
【図２２】[0040]  図２２は、テーブル部分が部分的に、ほぼ垂直ポジションに展開した、図２１の線２２に沿った、図２０のテーブル組立体の側断面図を図示している。
【図２３】[0041]  図２３は、テーブル部分が回転し、部分的に、角度をつけたポジションに展開した、図２２のテーブル組立体の側断面図を図示している。
【図２４】[0042]  図２４は、テーブル部分が回転し、ほぼ水平ポジションに展開した、図２２のテーブル組立体の側断面図を図示している。
【詳細な説明】
【００１９】
[0043]  以下の詳細な説明は、図面を参照して、本実施形態を説明する。図面において、参照番号は、本実施形態の要素をラベル付けする。これらの参照番号は、対応する図面の特徴の議論に関連して以下に再現される。
【００２０】
[0044]  本発明の図と説明は、本発明の明確な理解のために、関連する要素を図示するように簡略化されており、明確にする目的で、展開可能なテーブル中で見出される多くの他の要素を除外していると理解すべきである。関連技術の当業者は、本発明を実現する際に、他の要素および／またはステップが、望ましいおよび／または必要とされることを認識するかもしれない。しかしながら、このような要素およびステップは技術的によく知られていることから、および、これらは本発明のより良い理解を促進しないことから、このような要素およびステップの議論は、ここでは提供しない。ここでの本開示は、関連技術の当業者に既知であるこのような要素および方法へのすべてのこのようなバリエーションおよび修正に向けられている。
【００２１】
[0045]  実例の目的のために図１〜１９中に示すように、本発明の実施形態は、しまい込んだおよび展開したコンフィギュレーション間で移動可能であるテーブル組立体３０中に存在する。テーブル組立体３０は、ベース部分３２、アーム部分３４、およびテーブル部分３６を備えている。ベース部分３２は、締結具（例えば、ねじ、ボルト、および、ナット等を含むがこれらに限定されない機械的締結具）によって（示されていない）表面に取り付け可能である。アーム部分３４は、第１および第２の端部３８、４０を有している。アーム部分３４の第１の端部３８は、ベース部分３２に係合し、アーム部分３４の第２の端部４０は、テーブル部分３６を動作可能に係合し、少なくとも部分的にその内部に配置される。
【００２２】
[0046]  テーブル組立体３０は、壁、仕切り、または、外面２０２と一体になった壁を有するシートコンソール２００、および、表面２０２を超えた深さに伸長する凹部２０４に関連して使用されてもよい。テーブル組立体３０がしまい込んだコンフィギュレーションであるとき、テーブル組立体３０は、凹部２０４内にほぼしまい込まれてもよく、凹部２０４は、テーブル組立体３０を収容する大きさであり、形状である。テーブル組立体３０がしまい込んだコンフィギュレーションであるとき、テーブル部分３６は、ほぼ垂直ポジションにあり、テーブル部分３６の外側４６は、凹部２０４から外側に面し、シートコンソール２００の外面２０２の少なくとも一部分を形成し、シートコンソール２００の外面２０２の残りの部分とほぼ一致し、ぴったり重なる。
【００２３】
[0047]  ベース部分３２は、しまい込んだおよび展開したポジション間で凹部２０４内を移動可能である。ベース部分３２は、凹部２０４の内部側壁をスライドして係合する（示されていない）板に固定して取り付けられてもよい。代替実施形態では、ベース部分３２は、凹部２０４の（示されていない）内部側壁に取り付けられている（または内に形成されている）軌道に沿ってスライドするキャリッジとして機能してもよい。いずれにしても、その格納したポジション（すなわち、テーブル組立体３０がしまい込んだコンフィギュレーションであるとき、ベース部分３２があるポジション）からその伸長したポジションにベース部分３２が移動するとき、ベース部分３２は、凹部２０４の内部内から外面２０２の近くのまたは外面２０２における、凹部２０４の開口２０６に向けて移動する。
【００２４】
[0048]  テーブル部分３６は、ベース部分３２に関して格納したポジションとベース部分３２に関して伸長したポジションとの間でユーザによって手動で移動可能である。しまい込んだコンフィギュレーションでは、テーブル部分３６は、ほぼ垂直方向またはポジションであり、テーブル部分３６が格納したおよび伸張したポジション間で移動しても、ほぼ垂直方向またはポジションのままである。ベース部分３２は、凹部２０４内で移動可能であることから、テーブル部分３６は、依然として部分的に凹部２０４内にある間、伸張したポジションにあってもよく、または、凹部２０４の外側にある間、格納したポジションにあってもよい。
【００２５】
[0049]  テーブル部分３６は、テーブル部分３６の格納したおよび伸張したポジション間でアーム部分３４の長手方向の長さを動作可能に係合し、長さに沿ってスライド可能に移動可能である。展開されるとき、テーブル部分３６は、格納したポジションから伸張したポジションに向けてアーム部分３４に沿って移動する。
【００２６】
[0050]  伸張したポジションに達したときのみに、テーブル部分３６は、ほぼ垂直方向またはポジションと第１のほぼ水平方向またはポジションとの間でアーム部分３４の長手方向中央軸６２の周りを回転することが可能である。凹部２０４の内部壁は、テーブル部分３６が凹部２０４の外側の外面２０２を超える伸張したポジションに達するまで、テーブル部分３６が回転することを回避する。しかしながら、テーブル部分３６がいったん図１７中に見られる伸張したポジションに達すると、テーブル部分３６は、図１８中に見られるように、第１のほぼ水平ポジションに向けて下方へと、長手方向軸６２の周りを自由に回転する。（図３、４、１０、１４、および、１８中に見られるような）テーブル部分３６の第１のほぼ水平ポジションにおいて、アーム部分３４は、テーブル部分３６の同じ端部に位置付けられ、テーブル部分がその垂直方向にあるとき、アーム部分３４は、伸張したポジションに位置付けられる（テーブル部分３６が長手方向軸６２の周りを回転した差分）。図４中に見られるように、テーブル部分３６は、ほぼ水平であるが、航空機がわずかに角度をなして空中を移動するという事実により、水平な面に対して（２）から（３）度の角度である。このわずかな角度は、水平な面に対してテーブル部分３６の（２）から（３）度の傾斜によって補正され、テーブル部分３６は、飛行中ほぼ水平だろう。この（２）から（３）度の傾斜は、飛行補正角として呼ばれる／知られている。シートが前方に向いている場合、テーブル部分３６は、わずかに９０度未満で展開し、シートが後方に向いている場合、テーブル部分３６は、わずかに９０度以上で展開する。どちらのケースにおいても、これは、飛行中、テーブル部分３６の上面７２が重力に対してほぼ垂直になる。
【００２７】
[0051]  テーブル組立体３０は、テーブル部分３６を格納したポジションに保持するためのラッチ機構４８を含んでいる。ラッチ機構４８は、レバー５０が回転するピボットピンまたはアクスル５２に動作可能に接続されている、固定のスプリングで止められたラッチレバー５０を含んでいる。テーブル部分３６は、外側４６上にボタンまたはタブ５４を含んでいる。格納したポジションにおいて、ラッチレバー５０の下向きフック部分は止め具５６に係合する。止め具５６は、ベース部分３２から上側に伸張するタブまたはフランジの形態であり、フック部分の内面が凹部２０４の内部に面する止め具５６の側部に係合する。ラッチレバー５０は、止め具５６を取り外し可能に係合する。ラッチレバー５０のフック部分の内側と止め具５６の内面側との係合は、テーブル部分３６が、格納したポジションから伸張したポジションに向けて移動することを回避する。ラッチレバー５０は、タブ５４を作動する（例えば、引っ張る）ことにより、止め具５６から選択的に外されることができ、これは、次に、止め具５６からフック部分を外し、テーブル部分３６が伸張したポジションに向けてベース部分３２から離れることを可能にする。ラッチレバー５０とタブ５４は、ケーブル５８によって動作可能に接続されている。ケーブル５８は、外側の覆いと内側のワイヤを有するボーデン型制御ケーブルを含むがこれらに限定されない、さまざまなケーブルの形態であることがある。ケーブル５８の一端は、タブ５４に動作可能に接続されている。ケーブル５８の他端は、レバー５０の端に動作可能に接続されている。タブ５４を作動することは、ケーブル５８を引き寄せ、これは、次に、ラッチレバー５０の一端を引き寄せ、レバー５０をピボットアクスル５２の周りを回転させる。ケーブル５８は、多数のガイドによってテーブル部分３６内のポジションに保持され、これは、（タブ５４がケーブル５８を引き寄せるとき）ケーブル５８が長手方向に移動することを可能にするが、ケーブル５８がねじれること回避するように、ケーブル５８の側方運動を制限する。ピボットアクスル５２は、ラッチレバー５０に対する回転の軸として機能する。タブ５４を作動させることは、ラッチレバー５０の下方に面するフック部分を上におよび止め具５６との係合から離れて回転させ、止め具５６からラッチレバー５０を外し、格納したポジションから伸張したポジションに向けて離れるようにテーブル部分３６を自由にする。代替実施形態では、ラッチ機構の異なるスタイルが提供されてもよく、タブ５４を押すユーザが止め具５６からラッチ５０を外し、格納したポジションからテーブル部分３６を解放する。いったんスプリングで留められたラッチレバー５０が止め具５６から外され、テーブル部分３６が格納したポジションから手動で離されると、ラッチレバー５０が止め具５６に係合したときにラッチレバー５０があったポジションに向けて戻るピボットアクスル５２の周りを回転するようにラッチレバー５０をバイアスさせるスプリング６０により、ラッチレバー５０が止め具５６に係合したときにラッチレバー５０があったポジションへとラッチレバー５０は自動的に回転して戻るだろう。しかしながら、テーブル部分３６は、格���したポジションから離れ、ラッチレバー５０は、ベース部分３２と止め具５６から離れていることから、このときにラッチレバー５０は止め具５６に係合しないだろう。テーブル部分３６が格納したポジションに向けて手動で移動して戻るとき、ラッチレバー５０のフック部分の外面は、凹部２０４の外部に面する止め具５６の側部に接触し、テーブル部分３６が格納したポジションに向けてさらに内側に移動すると、ラッチレバー５０のフック部分の曲線状の外面と止め具５６との間の接触は、ラッチレバー５０をピボットアクスル５２の周りを回転させる。フック部分が止め具５６の最上部を通過し、スプリング６０がフック部分にバイアスをかけ、止め具５６に再係合し、テーブル部分３６を格納したポジションに保持するまで、これは、次に、ラッチレバー５０のフック部分を上方に回転させる。代替的に、ベース部分３２からテーブル部分３６を解放する方法は、ラッチ機構４８を作動するためのケーブル５８を必要としないが、代わりに、局所的に作動され、保持のために周囲の構造中に空洞を必要とする「歯」を有している（すなわち、「歯」は、空洞に係合し、ポジション中のテーブル部分３６を保持する）。
【００２８】
[0052]  テーブル部分３６は、フレーム６８、天板７０、および、底板７６を含んでいる。天板７０は、ほぼ平面、ユーザに対する外部に面するテーブル面として機能する上面７２とテーブル部分３６の内部に面する下面７４を含んでいる。底板７６は、テーブル部分３６の内側に面する上面７８とテーブル部分３６がほぼ垂直方向またはポジションにあるときにユーザによって見られる面を提供する下面と８０を含んでいる。テーブル部分３６は、フレーム６８の内側に面する表面から内側に伸張する内部フランジまたはリップ８４に取り外し可能に取り付けられている内板８２をさらに含んでいる。フレーム６８は、フレーム６８の３つの側部をほぼ形成する主な部分８６と、フレーム６８の第４の側部を形成する主な部分８６に取り外し可能に取り付けられているラッチ部分８８とを含んでいる。内板８２は、内板８２中のアパーチャ９０を通して伸長する（示されていない）機械的締結具によって内部フランジまたはリップ８４に取り外し可能に取り付けられており、内部フランジまたはリップ８４上で収容アパーチャまたはボア９２にはめ合って係合する（すべてのアパーチャ９０またはボア９２が図７中で明示的に識別されるわけではない）。内板８２は、テーブル部分３６の内側のさまざまなコンポーネントが据え付けられてもよいマウントとして機能し、コンポーネントは、テーブル部分３６の内側に配置されているテーブル組立体３０の他のコンポーネントを動作可能に係合してもよい。天板７０、底板７６、および内板８２は、フレーム６８の形状にほぼ一致する類似した形状を有している。代替的に、フレーム６８と板７０、７６、８２のサイズおよび形状は、設計または美的ニーズを満たすように調節されることができる。内板８２の厚さは、内板８２の上面がフレーム６８の上面７２より下の距離であるようなものであり、天板７０が内板の最上部に積み重ねられるとき、天板７０の上面７２は、フレーム６８の上面とほぼ同じ高さであり、天板７０は、フレーム６８の範囲内にはめ込まれる。
【００２９】
[0053]  テーブル組立体３０は、アーム部分３４とテーブル部分３６を動作可能に相互接続するテーブル部分３６内に配置されているキャリッジ６４をさらに含んでいる。アーム部分３４の一部分は、キャリッジ６４内のボア１２４を通過する。キャリッジ６４内のボアは、アーム部分３４を収容するような大きさであり、形状であり、キャリッジ６４は、アーム部分３４をスライドして係合する。少なくとも１つのベアリング１２８は、アーム部分３４とキャリッジ６４との間に配置され、アーム部分３４に関するテーブル部分３６の回転を支援する。キャリッジ６４は、アーム部分３４上の止め具９６の接合する曲線状の面に係合するような大きさであり、形状である、曲線状の面を有する止め具９４を含んでおり、アーム部分３４の長手方向軸６２の周りのテーブル部分３６の回転運動を制限する。止め具９４、９６の係合は、ほぼ垂直なポジションから第１のほぼ水平ポジションへ回転するテーブル部分を超える、アーム部分３４の長手方向軸６２の周りのテーブル部分３６の回転運動を回避する。キャリッジ６４に関するアーム部分３４の動きは、より大きな直径を有するアーム部分３４によって制限されることから、キャリッジ６４は、アーム部分３４の長手方向の長さに沿ったテーブル部分３６の側方運動を制限し、これは、キャリッジ６４を動作可能に係合するとき、一端３８上で止め具として機能し、キャリッジ６４を動作可能に係合するとき、他端４０上で止め具として機能する。
【００３０】
[0054]  アーム部分３４は、長手方向軸６２の周りのテーブル部分３６の回転を支援し、制限する。いったんテーブル部分３６が凹部２０４の外側に出ると、テーブル部分３６が座っているユーザに向けて落ちることを回避するために、テーブル組立体３０は、ほぼ垂直ポジションと第１のほぼ水平ポジションとの間のアーム部分３４の長手方向軸６２の周りのテーブル部分３６の回転運動を制限するダンパー機構１０４をさらに含んでいる。アーム部分３４は延長部１０６を含んでいる。ダンパー機構１０４は、伸張部１０６の遠位端に回転可能に接続されているガススプリング１０８を含んでいる。ロッド（例えば、０．６３５センチメートル（１／４インチ）ロッド）１１０は、テーブル部分３６の内側内で、アーム部分３４にほぼ平行である、フレーム６８の内側から伸長し、テーブル部分３６がほぼ垂直ポジションと第１のほぼ水平ポジションとの間を移動すると、キャリッジ６４がロッド１１０に対して回転することを可能にするように、ロッド１１０の一部分は、少なくとも部分的にキャリッジ６４へと動作可能に入り、キャリッジ６４を回転可能に係合する。テーブル部分３６がほぼ垂直ポジションと第１のほぼ水平ポジションとの間で移動すると、ガススプリング１０８がロッド１１０に対して回転することを可能にするように、ロッド１１０は、ガススプリング１０８の上端上のＵリンク１１２を通してスライドすることにより、ガススプリング１０８に係合する。したがって、ガススプリング１０８は、一端上のアーム３４を回転可能に係合し、他端上の（キャリッジ６４に係合するロッド１１０を介した）テーブル部分３６を回転可能に係合する。テーブル部分３６がほぼ垂直ポジションから第１のほぼ水平ポジションへと下方に回転すると、ほぼ垂直からほぼ水平へのテーブル部分３６の回転を抑制するガススプリング１０８により、ガススプリング１０８はテーブル部分３６に係合し、テーブル部分３６が落ちることを避ける。代替的に、または、ダンパー機構１０４を補足して、いったんテーブル部分３６が凹部２０４から出ると、テーブル部分３６が座ったユーザに向けて下方に倒れないように、摩擦クラッチがアーム部分３４の周囲に配置され、テーブル部分３６への回転抵抗を提供する。
【００３１】
[0055]  テーブル部分３６がほぼ垂直方向またはポジションであるとき、アーム部分３４とキャリッジ６４の係合は、テーブル部分３６のアーム部分３４に対する下方への垂直運動を回避するようにも設計されている。完全に伸長したときに、ローラー１３０と落下止め具１３２（例えば、ほぼＬ字型の止め具）の係合は、テーブル部分３６の下方への垂直運動することを回避する。テーブル部分３６がほぼ垂直方向にあるとき、ローラー１３０は、伸張部１０６上に配置され、落下止め具１３２を動作可能に係合する。テーブル部分３６がアーム部分３４に対して横方向に移動すると、ローラー１３０は落下止め具１３２の下側１３４に係合し、テーブル部分３６の下降運動を回避する。ほぼ垂直方向から第１のほぼ水平方向へのテーブル部分３６の回転は、ローラー１３０と落下止め具１３２を外す。ローラー１３０と落下止め具１３２を外すことは、第１のほぼ水平ポジションと第２のほぼ水平ポジションとの間をテーブル部分３６が移動することも可能にする。
【００３２】
[0056]  テーブル部分３６は、キャリッジ６４に動作可能に接続された回転可能ピニオン６７を動作可能に係合するテーブル部分３６内に配置されたラック６６を含んでおり、キャリッジ６４がラック６６に対して直線的に移動し、ピニオン６７がキャリッジ６４に対する固定ポジションで回転すると、ピニオン６７の歯は、ラック６６の歯に係合する。このように、テーブル部分３６が第１のほぼ水平ポジションと第２のほぼ水平ポジションとの間を横方向に移動すると、ラック６６はピニオン６７に係合する。ラック６６は、内板８２中のアパーチャ１００を通って、内板に面するラック６６の側部のねじ切り係合ボア１０２に入る機械的締結具９８（例えば、ねじ、ねじ切りされたボルト、または、これらに類するもの）によって内板８２に接続されている。テーブル部分３６がほぼ垂直部分であるとき、キャリッジ６４は、ラック６６に対して直線的に移動せず、また、テーブル部分がほぼ垂直ポジションから第１のほぼ水平ポジションへ回転しても、キャリッジ６４は、ラックに対して直線的に移動しない。
【００３３】
[0057]  テーブル部分３６は、軌道１１４の中に規定された溝１１６を有する軌道１１４を含んでいる。（図５、６、１１、１５、および１８中で見られるように）テーブル部分３６が第１のほぼ水平ポジションから第２のほぼ水平ポジションに移動すると、アーム部分３４は、溝１１６を動作可能に係合し、回転ダンパー／ギアラック６６、６７は、第１のほぼ水平ポジションと第２のほぼ水平ポジションとの間のテーブル部分３６の前方および後方の並進を減衰する。アーム部分３６は、止め具９６の片側に取り付けられている１組のローラー１１８を含んでいる。いったんテーブル部分３６が第１のほぼ水平ポジションに移動すると、ローラー１１８は、溝１１６と整列するように構成されている。いったんローラー１１８が溝１１６と整列すると、ユーザは、第１のほぼ水平ポジションから第２のほぼ水平ポジションに向けてテーブル部分３６を手動で移動させることができる。ユーザは、溝１１６を動作可能に係合するローラー１１８間でテーブル部分３６を短距離移動させることを必要とするだけである。テーブル部分３６が第２のほぼ水平ポジションに移動すると、溝１６はローラー１１８を誘導する。ローラー１１８と溝１１６の係合の間、軌道１１４は、アーム部分３４とテーブル部分３６との間の回転を制限する。第１のほぼ水平ポジションと第２のほぼ水平ポジションとの間のテーブル３６の移動は、ローラー１１８と溝１１６の係合によって、および、キャリッジ６４がラック６６と軌道１１４に沿って後ろおよび前に移動するとキャリッジ６４を整列して保つことを手助けするピニオン６７とラック６６の係合によって、平らに保たれる。テーブル部分３６が第１のほぼ水平ポジションと第２のほぼ水平ポジションとの間を移動すると、アーム部分３４は、ベース部分３２に面するテーブル部分３６の側部のスロット１２６に沿って移動する。Ｌ字型の止め具１２０は、内板８２に動作可能に接続され、ローラー８２が軌道１１４を離れることを回避する。テーブル部分３６が第１のほぼ水平ポジションに達するとき、キャリッジ６４の側部１２２は、止め具１２０に接触し、溝１１６に沿ったローラー１１８のさらなる側方運動を回避する。テーブル部分３６が第１のほぼ水平ポジションから第２のほぼ水平ポジションに移動するとき（すなわち、止め具１２０がキャリッジ６４の側部１２２に接触するとき）、テーブル組立体３０は、図１９中に見られるように、展開したコンフィギュレーションである。テーブル部分３６が第２のほぼ水平ポジションにあるとき、テーブル部分３６は、飛行補償角を維持する。図１６中に見られるように、テーブル部分３６は、テーブル組立体３０のしまい込んだコンフィギュレーションでほぼ垂直方向であり、図１９中に見られるように、展開したコンフィギュレーションでほぼ水平方向である。
【００３４】
[0058]  例示の目的のために図２０−２４中で示すように、本発明の別の実施形態は、しまい込んだおよび展開したコンフィギュレーション間で移動可能であるテーブル組立体３３０に存在する。テーブル組立体３３０は、テーブル組立体３０に構造的／機能的に類似しているが、組立体３３０は、ガススプリングおよびスライド機構を使用しない代わりに、内部スプリング４０６、プランジャー４０８、面４１２を有するカム４１０、および、ローラー４１４を有している。この実施形態では、いったんテーブル部分３６が凹部２０４の外側に出ると、座っている乗客に向けてテーブル部分３６が落下することを回避するために、テーブル組立体３３０は、ほぼ垂直ポジションと第１のほぼ水平ポジションとの間のアーム部分３４の長手方向軸６２の周りのテーブル部分３６の回転運動を制限するダンパー機構４０４を含んでいる。この実施形態では、アーム部分３４は、長手方向軸の周りのテーブル部分３６の回転を依然として支援し、制限する。しかしながら、テーブル部分３６の回転運動を抑制するためのガススプリング１０８を使用する代わりに、この実施形態は、内部スプリング４０６／プランジャー４０８を使用し、これは、テーブル部分３６が展開したほぼ水平ポジションに回転可能に「急降下」する前に、カム４０１に係合して、垂直からおおよそ３０度テーブル部分３６の回転を抑制する。ダンパー機構４０４は、キャリッジ３６４内に部分的に配置されていることから、ダンパー機構４０４の多数のコンポーネントは、キャリッジ３４の内部にある。キャリッジ３６４は、キャリッジ６４と類似した方法で動作する。
【００３５】
[0059]  ダンパー機構４０４は、キャリッジ３６４内の凹部４１６（例えば、円柱ボア）内に配置されたスプリング４０６を含んでいる。プランジャー４０８は、スプリング４０６の端に直接隣接し、および、これを動作可能に係合して位置付けられている一方で、スプリング４０６の対向端は、ボルトが凹部４１６の端壁を形成するようにキャリッジ３６４をねじ切りして係合するボルトに係合する。スプリング４０６に係合するプランジャー４０８の端部から遠位である、プランジャー４０８の端部は、カム４１０を動作可能に係合する。プランジャー４０８の遠位端は、カム４１０の凹部内に少なくとも部分的に配置され、そこに関して固定される。例えばねじ切りされた調整ねじ４１８は、カム４１０のねじ切りされたボア内に設定されることができ、カム４１０に関するポジションにプランジャー４０８を保持するために、プランジャー４０８の一部分に係合する。このように、カム４１０は、プランジャー４０８の遠位端に固定されている。アーム部分３４は、ローラー４１４を含んでいる。図２２−２４中に見られるように、ほぼ垂直から第１のほぼ水平ポジションに向けてテーブル部分３６が下方に回転すると、ローラー４１４は、カム面４１２に係合し、これは次に、プランジャー４０８に係合し、これは次に、内部スプリング４０６に係合し、テーブル部分３６がほぼ垂直ポジションからほぼ水平ポジションに向けて回転すると、テーブル部分３６の回転を抑制する。カム面４１２がローラー４１４に対して回転するように、ローラー４１４がカム面４１２の表面に沿って回転し、係合すると、カム４１０／プランジャー４０８は内部スプリング４０６を押し、圧迫する。内部スプリング４０６のスプリング力は、カム４１０／プランジャー４０８に対して押し戻し、それにより、アーム部分３４に対するテーブル部分３６の回転を抑制する。
【００３６】
[0060]  キャリッジ３６４は展開したポジションの角度を制御する調節可能な回転止め具３９０も含んでいる。止め具３９０は、アーム部分３４上の接合する曲線状の表面に係合するような大きさであり、形状である曲線状の表面を有しており、アーム部分３４の長手方向軸６２の周りのテーブル部分３６の回転運動を制限する。止め具３９０、３９６の係合は、テーブル部分３６のほぼ垂直ポジションから第１のほぼ水平ポジションへの回転を超える、アーム部分３４の長手方向軸６２の周りのテーブル部分３６の回転運動を回避する。それがキャリッジ３６４に接合して係合されるという点で、止め具３９０は調節可能であり、キャリッジ３６４に対するそのポジションを調節できる。例えば、テーブル部分３６がほぼ垂直ポジションにあるとき、止め具３９０が止め具３９６に係合するであろうポイントを制御するように、止め具３９０を上方または下方に調節できる。３つの締結具３９２が止め具３９０をキャリッジ３６４に動作可能に係合することから、止め具３９０は、調節可能である。止め具３９０は、キャリッジ３６４の方形スロットまたは凹部３６６内に位置付けられる。各締結具３９２は、止め具３９０のスロットまたは凹部３９４内に位置付けられている。止め具３９０がキャリッジ３６４に対してスロットまたは凹部３６６内で上方または下方に移動することを可能にする方法で、締結具３９２は、キャリッジ３６４に係合する。ユーザがキャリッジ３６４に対して止め具３９０のポジションを変更することを望むときはいつでも、ユーザは、締結具３９２をゆるめ、これは、ユーザが締結具３９８を調節することによって、スロットまたは凹部３６６内の止め具３９０をスライドすることを可能にし、これは、ユーザが各スロットまたは凹部３９４内の各締結具３９２の相対ポジションを変更することを可能にする。締結具３９８を第１の方向に回転させることは、テーブル部分３６が垂直ポジションにあるとき、締結具３９８をキャリッジ３６４に対して下方に移動させることができる。締結具３９８の端部が止め具３９０の端部を動作可能に係合する場合、テーブル部分３６が垂直ポジションにあるとき、これは、止め具３９０をキャリッジ３６４に対して下方に押す効果を有することができる。締結具３９８を第１の方向とは反対の第２の方向に回転させることは、テーブル部分３６が垂直ポジションにあるとき、締結具３９８をキャリッジ３６４に対して上方に移動させることができ、テーブル部分３６が垂直ポジションにあるとき、止め具３９０をキャリッジ３６４に対して上方に調節することを可能にする。止め具３９０がキャリッジ３６４に対して所望のポジションにあるとき、ユーザは、締結具３９２を締め付け、キャリッジ３６４に対して所望のポジションに止め具３９０を保持する。
【００３７】
[0061]  図１、７、８、および、１６中で見えるように、使用する際、しまい込んだコンフィギュレーションからテーブル組立体４０を展開するために、座席２０８に座っているユーザは、タブ５４を引っ張り、格納したポジションでベース部分３２に係合してテーブル部分３６を保持するラッチ機構４８を解放する。図２、９、および１７中に見えるように、ユーザは、その後、凹部２０４の外側のその伸張した、ほぼ垂直ポジションにテーブル部分が達するまで、テーブル部分３６を手動で引っ張る。テーブル部分３６は、スプリングで留められてもよく、いったんラッチ機構４８が解放されると、テーブル部分３６は、凹部２０４から遠くに飛び出してくる。図３、４、１０、１４、および１８中に見られるように、ユーザは、その後、テーブル部分３６が第１のほぼ水平ポジションになるまで、テーブル部分３６を下方に回転する。図５、６、１１、１５、および１９中に見られるように、ユーザは、その後、テーブル部分３６がテーブル組立体３０の展開したコンフィギュレーションになるまで、テーブル部分３６を横方向に押す。前述のステップは、その展開したコンフィギュレーションからそのしまい込んだコンフィギュレーションへのテーブル組立体３０の移動にほぼ逆である（例えば、ユーザがテーブル部分を凹部２０４に押し戻すとき、ラッチ機構４８はテーブル部分３６とベース部分３２を自動的に再係合するだろう）。
【００３８】
[0062]  本発明は、旅客機での使用に関連して上記で議論してきたが、本発明は、その環境に限定されるものではなく、旅客列車、車、バス、ならびに、カート、キャリッジ、および、レール上に据え付けられた輸送手段を含むがこれらに限定されない他の車両上でも使用されてもよい。
【００３９】
[0063]  同様に、本発明はまた、車両での使用に限定されるものではなく、座席のある非車両または静止環境で使用されてもよく、テーブル、机、カウンター、および、これらに類するものの平らな面が典型的に使用される活動のタイプでの使用のために、平らな作業面をしまい込むおよび展開することが望ましい。さらに、本発明はまた、座席と関連して使用することに限定されず、装置が、表面（例えば、壁、デスクトップ、テーブル）中に形成される凹部内にしまい込まれ、凹部から展開されてもよく、または、装置をしまい込むことができる凹部を有さない平面（例えば、壁、デスクトップ、テーブル）に取り付けられてもよい、任意の環境で使用されてもよい。
【００４０】
[0064]  さらに、請求項中に記載されている発明は、サイズを限定せず、上記で説明したような同じまたは類似の運動の原理および摩擦制御が適用される、小規模のバージョンで、または、非常に大規模な用途における使用のために、解釈されてもよい。同様に、テーブル組立体によって提供されるテーブル表面エリアの長さと幅は、一定の縮尺で描かれたようには解釈されず、テーブル表面エリアの長さ／幅は、テーブル組立体をしまい込む／展開するために利用可能なエリアに適合して調節されてもよい。さらに、本明細書の図（およびそこに示されているさまざまなコンポーネント）は、一定の縮尺で描かれていると解釈すべきではない。
【００４１】
[0065]  本明細書を通して、ワード「備える（comprise）」、あるいは、「備える（comprises）」または「備えている（comprising）」のようなバリエーションは、述べた要素、整数またはステップ、あるいは、要素、整数またはステップのグループ含めるが、他の何らかの要素、整数またはステップ、あるいは、要素、整数またはステップのグループを除外しないことを暗示するように理解されるだろう。
【００４２】
[0066]  その使用が本開示の実施形態において所望の目的または結果のうちの１つ以上を達成するように、表現「少なくとも」または「少なくとも１つ」の使用は、１つ以上の要素または成分または量の使用を示唆する。
【００４３】
[0067]  さまざまな物理的パラメータ、寸法、または、量に対して言及した数値は、近似値に過ぎず、本明細書中に明確に反対の文がない限り、パラメータ、寸法、または、量に割り当てられた数値より高い／より低い値が本開示の範囲内にあるように認識される。
【００４４】
[0068]  ここで使用する用語は、特定の実施形態を説明することのみを目的としており、限定することを意図していない。ここで使用されるように、単数形の「ａ」、「ａｎ」および「ｔｈｅ」は、そうではないと文脈が明確に示していない限り、複数形も含むように意図されているかもしれない。用語「備える」、「備えている」、「含んでいる」、および、「有している」は、包括的であり、したがって、記載した特徴、整数、ステップ、動作、要素、および／または、コンポーネントの存在を特定するが、１つ以上の他の特徴、整数、ステップ、動作、要素、コンポーネント、および／または、それらのグループの存在または追加を排除しない。ここで説明した方法ステップ、プロセス、および、動作は、性能の順序として具体的に識別されない限り、議論したまたは図示した特定の順序で必ずこれらの性能を必要とするとは解釈されない。追加のまたは代替のステップが用いられてもよいことも理解される。
【００４５】
[0069]  要素またはレイヤが、別の要素またはレイヤ「上にある」、別の要素またはレイヤに「係合される」、「接続される」または「結合される」と言及されるとき、これは、直接他の要素またはレイヤ上にあり、係合され、接続されまたは結合されてもよく、あるいは、介入する要素またはレイヤが存在するかもしれない。対照的に、要素が別の要素またはレイヤ「上に直接ある」、別の要素またはレイヤに「直接係合される」、「直接接続される」または「直接結合される」と言及されるとき、介入する要素またはレイヤは存在しないかもしれない。要素間の関連性を説明するために使用される他のワードは、同様の方法（例えば、「〜の間」対「直接〜の間」、「隣接して」対「直接隣接して」等）で解釈すべきである。ここで使用されるように、用語「および／または」は、関係付けられているリストアップされたアイテムのうちの１つ以上の任意のおよびすべての組み合わせを含んでいる。
【００４６】
[0070]  「前」、「後」、「左」、「右」、「内側」、「外側」、「真下」、「〜より下」、「下部」、「〜より上」、「上部」、「水平」、「垂直」およびこれらに類するもののような空間関連用語は、図中に図示したような１つの要素または特徴と別の要素の要素または特徴との関連性を記述するための説明を容易にするためにここで使用されることができる。空間関連用語は、図中に描かれた方向に加えて、使用または動作する際の装置の異なる方向を包含するように意図されてもよい。例えば、図中の装置がひっくり返る場合、他の要素またな特徴「より下」または「の真下」と説明された要素は、他の要素または特徴「より上」に向けられるだろう。したがって、例えば、用語「〜より下」は、〜より上および〜より下の両方の方向を包含できる。装置は、そうでなければ、（９０度回転してまたは他の方向に）方向付けられてもよく、ここで使用される空間関連記述語は適切に解釈される。
【００４７】
[0071]  上記の説明は、これが関係する任意の当業者が本発明を作成し、使用することを可能にすることに関して、このような完全で、明確で、簡潔で、正確な用語で、これを作成および使用する方法およびプロセスの、および、本発明を実行するために企図された、最良のモードを提示している。しかしながら、本発明は、修正可能であり、完全に均等である上記で議論したものからの構成を代替する。結果として、本発明は、開示した特定の実施形態に限定されない。それどころか、本発明は、特に、本発明の主題事項を指摘し、明らかに主張する以下の特許請求の範囲によって概して表現されるような、本発明の精神および範囲内にあるすべての修正および代替構成をカバーする。
【図１】
2020529363.tif 000003
【図２】
2020529363.tif 000004
【図３】
2020529363.tif 000005
【図４】
2020529363.tif 000006
【図５】
2020529363.tif 000007
【図６】
2020529363.tif 000008
【図７】
2020529363.tif 000009
【図８】
2020529363.tif 000010
【図９】
2020529363.tif 000011
【図１０】
2020529363.tif 000012
【図１１】
2020529363.tif 000013
【図１２】
2020529363.tif 000014
【図１３】
2020529363.tif 000015
【図１４】
2020529363.tif 000016
【図１５】
2020529363.tif 000017
【図１６】
2020529363.tif 000018
【図１７】
2020529363.tif 000019
【図１８】
2020529363.tif 000020
【図１９】
2020529363.tif 000021
【図２０】
2020529363.tif 000022
【図２１】
2020529363.tif 000023
【図２２】
2020529363.tif 000024
【図２３】
2020529363.tif 000025
【図２４】
2020529363.tif 000026
【国際調査報告】
2020529363.tif 000027